(57)【要約】【課題】従来のコンタクトプローブに比べて大幅に低背化したコンタクトプローブを提供する。【解決手段】検査用回路基板のランド部４ｂに立設して使用されるコンタクトプローブＡ１であって、ゴム弾性を有する芯体１と、芯体１の外周に周回して配置され、ばね弾性を有する導電性の線材を少なくとも１回巻回して形成され、中央にループ部２ｂ、その両端に線材の巻き始め側の端部２ｃと巻き終わり側の端部２ｄを有する円環端子２とから成り、巻き始め側の端部２ｃと巻き終わり側の端部２ｄが、いずれも、検査用回路基板のランド部４ｂに固定されているコンタクトプローブ。【選択図】図２
2010025814.tif 000002
【特許請求の範囲】
【請求項１】
検査用回路基板のランド部に立設して使用されるコンタクトプローブであって、
ゴム弾性を有する電気絶縁性の芯体と、
前記芯体の外周を周回して配置され、ばね弾性を有する導電性の線材を少なくとも１回巻回して形成されるループ部と前記ループ部の両端にそれぞれ位置する線材の巻き始め側の端部および巻き終わり側の端部とを有する円環端子とから成り、
前記巻き始め側の端部と前記巻き終わり側の端部が、いずれも、前記検査用回路基板の前記ランド部に固定されていることを特徴とするコンタクトプローブ。
【請求項２】
前記芯体がゴムまたはエラストマ樹脂から成り、その形状が円柱体または角柱体である請求項１のコンタクトプローブ。
【請求項３】
前記線材がピアノ線である請求項１または２のコンタクトプローブ。
【請求項４】
前記線材の巻き始め側の端部と巻き終わり側の端部がはんだを用いて前記検査用回路基板の前記ランド部に固定されている請求項１〜３のいずれかのコンタクトプローブ。
【発明の詳細な説明】
【技術分野】
【０００１】
本発明はコンタクトプローブに関し、更に詳しくは、従来のコンタクトプローブに比べて大幅に低背化している新規構造のコンタクトプローブに関する。
【背景技術】
【０００２】
例えば製造ラインで製造された電子部品におけるその電子回路の電気的特性の検査は、一般にコンタクトプローブを備えた検査装置を用いて行われている。
そしてコンタクトプローブとしては、大きくいって次のようなタイプのものが知られている。第１のタイプは、金属管の内部中央にコイルばねを配置し、そのコイルばねの上部と下部にそれぞれ接触ピンを配置し、金属管の両端開口を部分的に閉塞して各要素部品を当該金属管の内部に保持した構造のものである。
【０００３】
このタイプのコンタクトプローブは、検査用の電気信号を送受信する配線パターンが形成されているプローブ支持基板に所定の配列で組み付けられ、そして例えば上部の接触ピンを検査対象の電子部品の電極（例えばはんだボール電極）に接触させ、下部の接触ピンを検査装置の検査用回路基板のランド部に接触させ、検査装置から所定の電気信号を発信するという態様で使用される。
【０００４】
このとき、両接触ピンはコイルばねで付勢されているので、接触ピンは電子部品の電極や検査用回路基板のランド部と強く圧接されて両者の接触状態は良好に維持される。
第２のタイプは、同じく金属管の内部にコイルばねを配置し、このコイルばねの上部に接触ピンを配置して金属管の上部開口を部分的に閉塞し、そして金属管の下部開口は全面的に封止した構造のものである。
【０００５】
このタイプのコンタクトプローブは、通常、検査装置の検査用回路基板に、直接、組み付けて使用される。すなわち、検査用回路基板に所定のパターンで配線されている配線回路の出入力ランド部にスルーホールを形成し、そこに上記したコンタクトプローブを挿通したのち、通常ははんだを用いてランド部に固定配置される。そして、例えば検査用回路基板の背面側から圧力を加えて上方に突出している接触ピンを電子部品の電極に接触させて使用される。
【０００６】
その他各種のバリエーションはあるが、基本的に従来のコンタクトプローブは、コイルばねと接触ピンとそれらを内蔵し保持する金属管を必須の構成要素とする構造体になっている。したがって、コンタクトプローブの製作に際しては、これら要素の精密な機械加工、組立て作業が必要になる。
ところで、最近の電気・電子機器では急速に小型化、薄型化、軽量化、部品実装の高密度化が進んでいるのであるが、そのことに伴って、これら機器に組み込まれる電子部品では端子（電極）の微細化と端子間の狭ピッチ化が進んでいる。
【０００７】
そしてこのことは、電子部品をコンタクトプローブを備えた検査装置で検査する際に、電子部品の検査面とプローブの配列面との間隔が狭くなるという問題を生み出すことになり、そのためコンタクトプローブに対してはその低背化という問題や細径化（小型化）という問題が強く要求されるようになっている。とりわけ、コンタクトプローブの低背化に関する要求は強い。
【０００８】
このような要求に対処すべく、２本のプローブ（接触ピン）のうち第２プローブに上部が固定されている摺動シャフト部の一部をコイルスプリングに内包させ、その摺動シャフト部の下部を筒形状をした第１プローブ内に摺動自在に挿入して、全体の低背化と配列時の狭ピッチ化の実現を意図した構造のコンタクトプローブが提案されている。
このコンタクトプローブは、前記した第１のタイプに属するものであるが、従来の場合と同様に、コイルスプリングを使い、また所定長さの接触ピンを２本使用しているので、従来に比べて大幅に低背化を実現することは困難であると考えられる。
【０００９】
一方、前記した第２のタイプのコンタクトプローブは、接触ピンが１本であるという点で、低背化に関しては第１のタイプのものに比べて有利である。そのため、低背化と銘打って、この第２のタイプの各種コンタクトプローブが開発され、既に市販されている（非特許文献１を参照）。
しかしこれらは、いずれも、接触ピンの付勢にばねコイルを用いる構造であるため、それほどの低背化を実現しているとはいえない。例えばこのタイプのコンタクトプローブの場合、プローブの底面から接触ピンの先端までの全高は、低いものでも3.5〜4mm程度であるという現状にある。
【特許文献１】特開2008-128784号公報
【発明の開示】
【発明が解決しようとする課題】
【００１０】
本発明は、従来のコンタクトプローブが精密な機械加工を必要とするコイルばねと接触ピンが金属管内部に組み込まれた構造であることとは全く異なり、コイルばねや接触ピンを用いることがないので、その全高を１ｍｍ程度にまで低背化することができ、しかも電子部品のランド部との接触圧も適切に確保されている新規構造のコンタクトプローブの提供を目的とする。
【課題を解決するための手段】
【００１１】
上記した目的を達成するために、本発明においては、
検査用回路基板のランド部に立設して使用されるコンタクトプローブであって、
ゴム弾性を有する電気絶縁性の芯体と、
前記芯体の外周を周回して配置され、ばね弾性を有する導電性の線材を少なくとも１回巻回して形成されるループ部と前記ループ部の両端にそれぞれ位置する線材の巻き始め側の端部および巻き終わり側の端部とを有する円環端子とから成り、
前記巻き始め側の端部と前記巻き終わり側の端部が、いずれも、前記検査用回路基板の前記ランド部に固定されていることを特徴とするコンタクトプローブ、
が提供される。
【発明の効果】
【００１２】
本発明のコンタクトプローブは、検査用回路基板のランド部に立設された状態で使用されるので、全体の高さは芯体の外周に配置されている円環端子の外径で規定されている。そして、円環端子のばね力と芯体のゴム弾性の複合作用で当該円環端子の頂部（最高点）を検査対象の電子部品のランド部に圧接させて導通をとる構造になっているので、円環端子の製作に用いる線材の線径と芯体の断面の寸法形状を適切に選定することにより、その全高を、ばねコイルと接触ピンを金属管に内蔵した従来のコンタクトプローブに比べて大幅に低背化させることができる。
【００１３】
また、精密機械加工によって製作されるばねコイル、接触ピン、金属管などが不要になるので、制作費を大幅に低減することができる。そして、検査用回路基板のランド部への円環端子の固定をはんだを用いて行うことにより、反復使用後におけるコンタクトプローブのリペア作業も簡単になる。
【発明を実施するための最良の形態】
【００１４】
本発明のコンタクトプローブは、検査用回路基板の出入力ランド部の上に立設させた状態で使用される。その状態の１例を図１と図１のII−II線に沿う断面図である図２に示す。
図において、コンタクトプローブＡ１は、ゴム弾性を有する電気絶縁性の芯体１と、この芯体１の外周に、ばね弾性を有する導電性の線材２ａを１回巻きして形成したループ部２ｂとこのループ部２ｂから延在する線材の巻き始め側の端部２ｃと線材の巻き終わり側の端部２ｄとから成る円環端子２が配置された構造になっている。
【００１５】
そして、線材の巻き始め側の端部２ｃと巻き終わり側の端部２ｂは、いずれも、はんだ３によって検査用回路基板４における配線回路４ａのランド部４ｂに接合され、固定されていて、コンタクトプローブＡ１は、ランド部４ｂの上に、円環端子２の頂部２ｅを上にして立設されている。
ここで、芯体の材料としては電気絶縁性でかつゴム弾性を有する材料が用いられ、具体的には各種の天然ゴムや合成ゴム、シリコーンゴム、ＮＢＲのようなエラストマ樹脂が好適である。
【００１６】
そしてこの芯体は、長さＬで直径Ｄの柱状体（図１，２の場合）を横向きにした状態でランド部４ｂの上に配置されている。その場合、長さＬは、直径Ｄの大小との関係もあるが、例えば軸方向の斜上方から外力が加わっても柱状体が横倒しを起こさない程度の長さに設定されている。柱状体としては、図で示したような円柱体や、また断面３角形の３角柱体、断面４角形の直方体などの角柱体を用いることができる。
【００１７】
円環端子２は、ある長さの線材２ａを１回巻きして形成され、中央にループ部２ｂ、その両端にある長さの巻き始め側の端部２ｃ、巻き終わり側の端部２ｄを有している。用いる線材としては、ばね弾性を有し、かつ導電性を備えているものであれば何であってもよいが、例えばピアノ線、タングステン線、リン青銅線の線材は細くても大きなばね弾性を示すので好適であり、とりわけピアノ線は音階との関係で線径が0.01ｍｍ程度の細線から１ｍｍ程度のものまで各種線径のものがあり、しかもそれらはいずれも長期に亘って優れたばね弾性を発揮し続けるので好適である。
【００１８】
芯体を円環端子２の外周に配置するためには、まず所定線径（ｄ）の線材２ａを１回巻きして所望する内径のループ部２ｂを形成する。しかしこのままではばね弾性で線材は元の状態に戻ってしまうので、一旦所定温度で焼きなましを行ってループ形状を固定する。ついで、このループ部２ｂの内径とほぼ同じかまたは若干小径である外径の例えばゴムの円柱体を当該ループ部に挿通したのち、その円柱体を所定長さ（Ｌ）に切断する。
【００１９】
そしてこの構造体を検査用回路基板４のランド部４ｂの上に置き、線材の巻き始め側の端部２ｃと巻き終わり側の端部２ｄをランド部４ｂにはんだ付けすることにより、図１と図２で示したように、コンタクトプローブＡ１がランド部４ｂの上に立設される。
このとき、用いる線材の線径（ｄ）、形成するループ部の内径（Ｄ）を適宜に選定することにより、立設されたコンタクトプローブＡ１の高さや、ループ部２ｂを垂直方向に押しつぶすときに発生するばね力（反発力）の大きさを任意の値に設定することができる。
【００２０】
また、配線回路４ａの線幅（ランド部４ｂの幅）、配線回路間のピッチ（ランド部間のピッチ）に応じて、線材の線幅（ｄ）、ループ部の内径（Ｄ）、更には芯体の長さ（Ｌ）を適切に選定することにより、配線回路の狭ピッチ化にも対応することも可能である。
例えば検査用回路基板における配線回路４ａの線幅５０００μm、線間ピッチ１０００μmである場合、直径（Ｄ）２．０ｍｍ、長さ（Ｌ）１．０ｍｍの芯体と、線径（ｄ）０．１ｍｍのピアノ線を用い、ループ部の内径（Ｄ）１．９ｍｍで形成した円環端子を組合せることにより、全高が２．１ｍｍのコンタクトプローブＡ１を製作することができる。
【００２１】
このコンタクトプローブＡ１は図３で示した態様で使用される。
コンタクトプローブＡ１が実装されている検査用回路基板４を上下動可能な試験台５に載置する。そしてコンタクトプローブＡ１における円環端子２の頂部２ｅと、検査対象である電子部品６のランド部６ａの中心と位置合わせをする。
この状態を維持したまま、電子部品６を図３の矢印で示したように降下させるかまたは試験台５を上昇させて、円環端子２のループ部２ｂと電子部品６のランド部６ａを圧接する。その結果、ループ部２ｂの頂部２ｅを電気的接続点とした状態で電子部品６と検査用回路基板４の間では導通関係が形成されて検査作業が可能となる。
【００２２】
このとき、円環端子２のループ部２ｂは高さ方向に圧縮変形し、また芯体も下方へ圧縮される。そしてループ部２ｂは、その端部２ｃ、２ｄが配線回路のランド部４ｂにはんだ付けで固定されているので、ループ部２ｂには上方へのばね力が発生してループ部２ｂは電子部品のランド部６ａに圧接し続け、電子部品のランド部６ａと検査用回路基板のランド部２ｂとの導通関係は安定した状態で確保される。
【００２３】
また径方向に圧縮して下方へ変形した芯体１も、そのゴム弾性を発揮してループ部２ｂを上方に押し上げて導通関係の確保に寄与する。その場合、芯体１の長さ（Ｌ）は適切な長さに設定されているので、この過程で芯体１が横倒れを起こして、円環端子２が電子部品のランド部６ａから離れてしまう（断線する）という事態は発生しない。
このように作用するコンタクトプローブＡ１は、その全高を２ｍｍ程度にまで低背化することができるので、電子部品の検査箇所と試験台との間隙が狭い隙間である場合であっても、その隙間にこのコンタクトプローブＡ１を挿入して検査試験を実施することができる。具体的には、１ｍｍ程度の隙間まで検査は可能である。
【００２４】
図４に、本発明の別のコンタクトプローブの例Ａ２を示す。このコンタクトプローブＡ２では、円環端子２が線材の巻き始め側の端部２ｃと巻き終わり側の端部２ｄを同一方向に揃えてループ部２ｂが形成されている。
なお、上記したコンタクトプローブＡ１，Ａ２は、いずれも、図１で示したように、１本の配線回路（１箇所のランド部）に１個のコンタクトプローブを実装して使用しているのであるが、例えば図５で示したように、芯体１として１本の長尺な柱状体を用い、当該芯体の外周に複数の円環端子２を配置して、例えば前記したコンタクトプローブＡ２が集積されている構造体を製作し、これを検査用回路基板の上に配列しているランド部を跨いだ状態で配置して各コンタクトプローブＡ２を各ランド部に実装してもよい。この場合は、電子部品のランド部と円環端子の頂部の圧接時に、芯体１が横倒れを起こす心配が確実に取り除かれる。
【００２５】
図６に本発明の別のコンタクトプローブＡ３の例を示す。
このコンタクトプローブＡ３は、芯体１が長尺な柱状体であり、円環端子２が線材を渦巻状に巻回して形成した複数のループ部２ｂから成り、この円環端子２が芯体１の外周に配置されたタイプのものである。そしてループ部２ｂの巻き始め側の端部２ｃと巻き終わり側の端部２ｄを配線回路のランド部４ｂにはんだ付けすることによって全体は当該ランド部の上に立設されている。
【００２６】
この場合も、芯体１を長尺にしているので、電子部品のランド部と円環端子の頂部との圧設時に芯体１が横倒れする心配は取り除かれる。
なお、このコンタクトプローブＡ３の場合は、円環端子が線材を渦巻状に巻回して形成されているので、この渦巻ピッチを適切に調整してかつ全体の長さを比較的長くしておけば、円環端子に芯体を挿通しなくてもそのままで横倒れを起こさない円環端子として使用することができる。
【産業上の利用可能性】
【００２７】
本発明のコンタクトプローブは、従来のコンタクトプローブに比べて大幅に低背化しているので、最近、検査対象との間隔が２〜４ｍｍ程度にまで狭くなっている例えば顕微鏡下での発光素子の検査用プローブとして使用することができる。
【図面の簡単な説明】
【００２８】
【図１】本発明のコンタクトプローブＡ１を検査用回路基板に実装した状態を示す部分切欠斜視図である。
【図２】図１のＩＩ−ＩＩ線に沿う断面図である。
【図３】コンタクトプローブＡ１で電子部品を検査している状態を示す断面図である。
【図４】本発明の別のコンタクトプローブＡ２を示す断面図である。
【図５】長尺なコンタクトプローブＡ２を検査用回路基板に実装した状態を示す部分切欠斜視図である。
【図６】本発明の更に別のコンタクトプローブＡ３を検査用回路基板に実装した状態を示す部分切欠斜視図である。
【符号の説明】
【００２９】
１      芯体
２      円環端子
２ａ    線材
２ｂ    ループ部
２ｃ    線材の巻き始め側の端部
２ｄ    線材の巻き終わり側の端部
３      はんだ
４      検査用回路基板
４ａ    配線回路
４ｂ    ランド部
５      試験台
６      電子部品
６ａ    電子部品のランド部
【図１】
2010025814.tif 000003
【図２】
2010025814.tif 000004
【図３】
2010025814.tif 000005
【図４】
2010025814.tif 000006
【図５】
2010025814.tif 000007
【図６】
2010025814.tif 000008